(57)【特許請求の範囲】
【請求項１】
第１の通信装置にて受信され、録音された音声の録音情報を第２の通信装置へ転送する録音情報転送システムにおいて、
前記第１の通信装置は、
話者を特定する情報に対応付けて、該話者が発声した所定の語句の声紋パターンを登録する手段、
音声を受信する手段、
受信した音声を録音する手段、
受信した音声の少なくとも一部の声紋パターンを取得する手段、
受信した音声の少なくとも一部の声紋パターンを登録済みの声紋パターンとパターンマッチングすることにより該音声の話者を特定する手段、
音声の録音情報を特定する特定情報に対応付けて、該音声の受信に関連する関連情報を記憶する手段、
受信した音声をテキスト変換する手段、及び、
音声をテキスト変換したテキスト情報の少なくとも一部を、該音声の前記特定情報に対応付けて、前記関連情報及び該音声の話者を特定する情報とともに第２の通信装置へ送信する送信手段
を備え、
前記第２の通信装置は、
第１の通信装置から送信された、前記少なくとも一部のテキスト情報を含む情報を表示する手段、
表示した情報の中から転送を要求する録音情報を選択する手段、及び選択した録音情報の転送条件を指定する手段
を備え、
前記第１の通信装置は、
第２の通信装置から転送を要求された録音情報を、指定された転送条件に応じて第２の通信装置へ転送する手段
をさらに備え、
前記第２の通信装置は、
第１の通信装置から転送された録音情報を再生する手段
をさらに備えたことを特徴とする録音情報転送システム。
【請求項２】
話者を特定する情報に対応付けて、該話者が発声した所定の語句の声紋パターンを登録する手段と、
音声を受信する手段と、
受信した音声を録音する手段と、
受信した音声の少なくとも一部の声紋パターンを取得する手段と、
受信した音声の少なくとも一部の声紋パターンを登録済みの声紋パターンとパターンマッチングすることにより該音声の話者を特定する手段と、
音声の録音情報を特定する特定情報に対応付けて、該音声の受信に関連する関連情報を記憶する手段と、
受信した音声をテキスト変換する手段と、
音声をテキスト変換したテキスト情報の少なくとも一部を、該音声の前記特定情報に対応付けて、前記関連情報及び該音声の話者を特定する情報とともに他の装置へ送信する手段と、
他の装置からの、録音情報の転送の要求及び転送条件の指定を受信する手段と、
他の装置から転送を要求された録音情報を、指定された転送条件に応じて該他の装置へ送信する手段と
を備えたことを特徴とする録音情報送信装置。
【請求項３】
コンピュータに、音声の録音情報を他の装置へ転送させるプログラムが記録されており、コンピュータでの読み取りが可能な記録媒体において、
コンピュータに、
話者を特定する情報に対応付けて、該話者が発声した所定の語句の声紋パターンを登録させ、
音声を受信させ、
受信した音声を録音させ、
受信した音声の少なくとも一部の声紋パターンを取得させ、
受信した音声の少なくとも一部の声紋パターンを登録済みの声紋パターンとパターンマッチングすることにより該音声の話者を特定させ、
音声の録音情報を特定する特定情報に対応付けて、該音声の受信に関連する関連情報を記憶させ、
受信した音声をテキスト変換させ、
音声をテキスト変換したテキスト情報の少なくとも一部を、該音声の前記特定情報に対応付けて、前記関連情報及び該音声の話者を特定する情報とともに他の装置へ送信させ、
他の装置からの、録音情報の転送の要求及び転送条件の指定を受信させ、
他の装置から転送を要求された録音情報を、指定された転送条件に応じて該他の装置へ送信させる
プログラムが記録されていることを特徴とする記録媒体。
【請求項４】
コンピュータを、
話者を特定する情報に対応付けて、該話者が発声した所定の語句の声紋パターンを登録する手段、
音声を受信する手段、
受信した音声を録音する手段、
受信した音声の少なくとも一部の声紋パターンを取得する手段、
受信した音声の少なくとも一部の声紋パターンを登録済みの声紋パターンとパターンマッチングすることにより該音声の話者を特定する手段、
音声の録音情報を特定する特定情報に対応付けて、該音声の受信に関連する関連情報を記憶する手段、
受信した音声をテキスト変換する手段、
音声をテキスト変換したテキスト情報の少なくとも一部を、該音声の前記特定情報に対応付けて、前記関連情報及び該音声の話者を特定する情報とともに他の装置へ送信する手段、
他の装置からの、録音情報の転送の要求及び転送条件の指定を受信する手段、及び、
他の装置から転送を要求された録音情報を、指定された転送条件に応じて該他の装置へ送信する手段
として機能させるためのプログラム。
【発明の詳細な説明】
【０００１】
【発明の属する技術分野】
本発明は、例えば携帯電話事業者が留守録サービスを提供している留守番電話センタに録音された伝言メッセージのような録音情報を、携帯電話機、パーソナルコンピュータ（以下、パソコンという）等の通信装置へ転送するシステム、録音情報を携帯電話機、パソコン等の他の装置へ送信する装置、録音情報の転送をコンピュータで実現するための記録媒体及びプログラムに関する。
【０００２】
【従来の技術】
携帯電話機事業者が契約者に提供しているサービスの中に、契約者が電波の届かない場所にいる時、携帯電話機の電源を切っている時、電話に出られない時等でも、電話をかけてきた他者からの伝言メッセージを契約者の都合の良い時に聞けるように留守番電話センタで預かっておく留守番電話サービスがある。
【０００３】
伝言メッセージを預かった留守番電話センタは、伝言メッセージを預かっていることを契約者に通知する。契約者は所定の電話番号で留守番電話センタに発呼して伝言メッセージを聞く。
【０００４】
【発明が解決しようとする課題】
留守番電話センタが預かっている伝言メッセージを聞く場合、どのような内容なのかは実際に音声を聞くまでわからない。また複数の伝言メッセージがある場合、複数あることと着信時刻は通知されるが、これだけでは、どのような内容なのかまでわからないので、実際の音声を順次聞いていかなければならない。
【０００５】
従って、留守番電話センタへの発呼が有料の場合、不要な伝言メッセージの聞き取りに余計な通信料金が課金される。また、複数の伝言メッセージを、急を要するメッセージから優先的に再生することができない。
【０００６】
本発明はこのような問題点を解決するためになされたものであって、例えば留守番電話センタの伝言メッセージのような音声の録音情報を留守番電話センタにて一旦テキスト変換し、少なくともその一部（例えば先頭から５秒）を、発信者電話番号、着信日等の受信関連情報ととともに先ず携帯電話機のような通信端末装置に表示して、転送すべき録音情報を利用者に選択させ、さらにその音声情報をテキスト情報のまま転送するか、音声情報として転送するか等の転送条件の指定を受け付けることにより、必要な録音情報だけを転送でき、また録音情報を再生する優先度を利用者が設定できる等の優れたユーザインタフェースを利用者に提供する、付加価値の高い録音情報転送システム、音声の録音情報を携帯電話機、パソコン等の他の装置へ送信する装置、録音情報の転送をコンピュータで実現するための記録媒体及びプログラムの提供を目的とする。
【０００７】
【課題を解決するための手段】
本発明の録音情報転送システムは、第１の通信装置にて受信され、録音された音声の録音情報を第２の通信装置へ転送する録音情報転送システムにおいて、前記第１の通信装置は、話者を特定する情報に対応付けて、該話者が発声した所定の語句の声紋パターンを登録する手段、音声を受信する手段、受信した音声を録音する手段、受信した音声の少なくとも一部の声紋パターンを取得する手段、受信した音声の少なくとも一部の声紋パターンを登録済みの声紋パターンとパターンマッチングすることにより該音声の話者を特定する手段、音声の録音情報を特定する特定情報に対応付けて、該音声の受信に関連する関連情報を記憶する手段、受信した音声をテキスト変換する手段、及び、音声をテキスト変換したテキスト情報の少なくとも一部を、該音声の前記特定情報に対応付けて、前記関連情報及び該音声の話者を特定する情報とともに第２の通信装置へ送信する送信手段を備え、前記第２の通信装置は、第１の通信装置から送信された、前記少なくとも一部のテキスト情報を含む情報を表示する手段、表示した情報の中から転送を要求する録音情報を選択する手段、及び選択した録音情報の転送条件を指定する手段を備え、前記第１の通信装置は、第２の通信装置から転送を要求された録音情報を、指定された転送条件に応じて第２の通信装置へ転送する手段をさらに備え、前記第２の通信装置は、第１の通信装置から転送された録音情報を再生する手段をさらに備えたことを特徴とする。
【０００９】
本発明の録音情報送信装置は、話者を特定する情報に対応付けて、該話者が発声した所定の語句の声紋パターンを登録する手段と、音声を受信する手段と、受信した音声を録音する手段と、受信した音声の少なくとも一部の声紋パターンを取得する手段と、受信した音声の少なくとも一部の声紋パターンを登録済みの声紋パターンとパターンマッチングすることにより該音声の話者を特定する手段と、音声の録音情報を特定する特定情報に対応付けて、該音声の受信に関連する関連情報を記憶する手段と、受信した音声をテキスト変換する手段と、音声をテキスト変換したテキスト情報の少なくとも一部を、該音声の前記特定情報に対応付けて、前記関連情報及び該音声の話者を特定する情報とともに他の装置へ送信する手段と、他の装置からの、録音情報の転送の要求及び転送条件の指定を受信する手段と、他の装置から転送を要求された録音情報を、指定された転送条件に応じて該他の装置へ送信する手段とを備えたことを特徴とする。
【００１０】
本発明の記録媒体は、コンピュータに、音声の録音情報を他の装置へ転送させるプログラムが記録されており、コンピュータでの読み取りが可能な記録媒体において、コンピュータに、話者を特定する情報に対応付けて、該話者が発声した所定の語句の声紋パターンを登録させ、音声を受信させ、受信した音声を録音させ、受信した音声の少なくとも一部の声紋パターンを取得させ、受信した音声の少なくとも一部の声紋パターンを登録済みの声紋パターンとパターンマッチングすることにより該音声の話者を特定させ、音声の録音情報を特定する特定情報に対応付けて、該音声の受信に関連する関連情報を記憶させ、受信した音声をテキスト変換させ、音声をテキスト変換したテキスト情報の少なくとも一部を、該音声の前記特定情報に対応付けて、前記関連情報及び該音声の話者を特定する情報とともに他の装置へ送信させ、他の装置からの、録音情報の転送の要求及び転送条件の指定を受信させ、他の装置から転送を要求された録音情報を、指定された転送条件に応じて該他の装置へ送信させるプログラムが記録されていることを特徴とする。
【００１１】
本発明のプログラムは、コンピュータを、話者を特定する情報に対応付けて、該話者が発声した所定の語句の声紋パターンを登録する手段、音声を受信する手段、受信した音声を録音する手段、受信した音声の少なくとも一部の声紋パターンを取得する手段、受信した音声の少なくとも一部の声紋パターンを登録済みの声紋パターンとパターンマッチングすることにより該音声の話者を特定する手段、音声の録音情報を特定する特定情報に対応付けて、該音声の受信に関連する関連情報を記憶する手段、受信した音声をテキスト変換する手段、音声をテキスト変換したテキスト情報の少なくとも一部を、該音声の前記特定情報に対応付けて、前記関連情報及び該音声の話者を特定する情報とともに他の装置へ送信する手段、他の装置からの、録音情報の転送の要求及び転送条件の指定を受信する手段、及び、他の装置から転送を要求された録音情報を、指定された転送条件に応じて該他の装置へ送信する手段として機能させることを特徴とする。
【００１２】
本発明では、例えば留守番電話センタのサーバコンピュータのような第１の通信装置にて、伝言メッセージのような音声を受信して録音し、音声の録音情報を特定するファイル名のような特定情報に対応付けて、発信者電話番号、着信日時等の音声の受信に関連する関連情報を記憶する一方、受信した音声を、音声認識技術を利用してテキスト変換し、このテキスト情報の少なくとも一部（例えば音声の先頭から５秒相当分のテキスト情報）を、この音声のファイル名のような特定情報に対応付けて、上述の関連情報とともに、携帯電話機、パソコン等の第２の通信装置へ送信する。
【００１３】
第２の通信装置では、第１の通信装置から送信された、少なくとも一部のテキスト情報、発信者電話番号、着信日時等を表示し、ユーザのキー操作等に従って、表示した情報の中から転送を要求する録音情報を選択し、同様にユーザのキー操作等に従って、選択した録音情報を音声情報として転送する、テキスト情報として転送する等の転送条件を指定する。
【００１４】
第１の通信装置では、第２の通信装置から転送を要求された録音情報を、指定された転送条件に応じて第２の通信装置へ転送し、第２の通信装置では、第１の通信装置から転送された録音情報を再生する。
【００１５】
これにより、第２の通信装置の利用者は予め送信されてきたテキスト情報を参照して必要な録音情報だけを転送要求でき、また録音情報を再生する優先度を設定できる。
【００１６】
また本発明では、第１の通信装置から第２の通信装置へ、テキスト情報の少なくとも一部を、この音声のファイル名のような特定情報に対応付けて、上述の関連情報とともに、電子メールを利用して送信し、また第２の装置から転送要求のあった録音情報を、電子メールを利用して、音声情報又はテキスト情報として第２の装置へ送信する。
【００１７】
これにより、インターネットのような通信ネットワークに接続が可能な通信装置であれば、どのような通信装置へも録音情報を転送することができる。
【００１８】
【発明の実施の形態】
図１は本発明の録音情報転送システムとしての留守番電話サービスシステム（以下、本発明システムという）の一例の機能ブロック図である。
前記第１の通信装置である留守番電話センタ100 は、留守番電話サービスの契約者との契約により、契約者が電波の届かない場所にいる時、携帯電話機の電源を切っている時、電話に出られない時等でも、電話をかけてきた他者からの伝言メッセージを契約者の都合の良い時に聞けるように預かっておき、前記第２の通信装置である携帯電話機のような通信端末装置200 から要求された録音情報を通信端末装置200 へ転送する。
【００１９】
以下に留守番電話センタ100 の構成について説明する。
応答メッセージ再生手段101 は、携帯電話交換機からの要求に応じて、応答メッセージファイル102 に予め蓄積されている応答メッセージ（システムが提供する固定メッセージ又は契約者が登録した任意のメッセージ）を再生する。
【００２０】
音声受信手段103 は、発信者からの伝言メッセージを受信し、受信した音声をデジタル化した録音データに、例えば自動採番した番号からなる一意のファイル名を付して録音データファイル104 に記録する。
【００２１】
受信関連情報記録手段105 は、伝言メッセージの着信日時、発信者電話番号等の受信関連情報を着信一覧ファイル106 に記録する。また着信一覧ファイル106 には、後述するテキスト変換手段107 によりテキスト変換された伝言メッセージの一部（例えば先頭から５秒間相当の文書化データ）がこれらの受信関連情報に対応付けて記録される。
【００２２】
図２は着信一覧ファイル106 の概念図である。
図に示すように、契約者IDに対応付けて、伝言メッセージを伴う発呼の着信日時、発信者電話番号、話者名、録音データファイル104 に記録したファイル名、文書化録音データファイル108 に記録したファイル名、テキスト変換した伝言メッセージの一部等が記録されている。
【００２３】
テキスト変換手段107 は、録音データファイル104 に蓄積された音声情報を音声認識技術を利用して解析し、テキスト変換して、例えば前述の録音データのファイル名に対応付けて文書化録音データファイル108 に記録する。
【００２４】
着信一覧送信手段109aは、着信一覧ファイル106 から、伝言メッセージの着信日時・発信者電話番号とともに、文書化録音データファイル108 に蓄積されているテキスト変換された伝言メッセージの一部（例えば先頭から５秒間相当の文書化データ）を、通信端末装置200 からの要求に応じて、又は強制的に通信端末装置200 へ送信する。
【００２５】
転送指定受付手段110aは通信端末装置200 において、ユーザのキー操作に基づいて、転送すべき録音データとして選択された録音データ、及び指定された転送条件（例えば、録音データを音声情報として転送、又は録音データをテキスト情報として転送）を受け付ける。
【００２６】
録音情報転送手段111aは、通信端末装置200 から、録音データの全てを音声情報として転送するように指定された場合は、録音データファイル104 から該当するファイルを読み出し、また録音データの全てをテキスト情報として転送するように転送条件が指定された場合は、文書化録音データファイル108 から該当するファイルを読み出して通信端末装置200 へ転送する。
【００２７】
次に、通信端末装置200 の構成について説明する。
ブラウザ及び液晶ディスプレイのような表示画面からなる着信一覧表示手段201 は、留守番電話センタ100 の着信一覧送信手段109aから送信されてきた、伝言メッセージの着信日時・発信者電話番号・テキスト変換された伝言メッセージの一部を一覧表示する。
【００２８】
ダイヤルキー、カーソルキー、マウス等の入力手段202 は、着信一覧表示手段201 により表示された一覧情報に対するユーザのキー操作に基づいて、留守番電話センタ100 に転送を要求すべき録音データを選択する手段であり、また転送条件の選択肢に対するユーザのキー操作に基づいて、留守番電話センタ100 に対して、録音データの転送条件を指定する手段である。
【００２９】
録音情報再生手段203 は、録音データが音声情報として転送された場合のスピーカ、及び録音データがテキスト情報として転送された場合の、ブラウザ及び液晶ディスプレイのような表示画面からなる。
【００３０】
次に、図１の本発明システムの録音情報転送手順を、図３に示すフローチャートに基づいて説明する。
まず、留守番電話センタ100 では、留守番電話サービスの要求があると、受信関連情報記録手段105 は、着信日時・発信者電話番号等の受信関連情報を、録音データファイル名（自動採番）に対応付けて着信一覧ファイル106 に記録する（ステップS1）。
応答メッセージ再生手段101 は、応答メッセージファイル102 から読み出した応答メッセージを再生する（ステップS2）。
【００３１】
次に、音声受信手段103 は発信者の伝言メッセージの音声をデジタル化し、上述の録音データファイル名に対応付けて録音データファイル104 に記録する（ステップS3）。
【００３２】
テキスト変換手段107 は、録音データファイル104 の音声データを、音声認識技術を利用して解析し、文書データにテキスト変換し（ステップS4）、このテキスト変換したデータを、録音データファイル名に対応付けて文書化録音データファイル108 に記録する。
【００３３】
同時に、テキスト変換手段107 は、テキスト変換した文書化データの一部（例えば、伝言メッセージの先頭５秒間相当の文書化データ）を着信一覧ファイル106 の対応するレコードに記録する（ステップS5）。
【００３４】
着信一覧送信手段109aは、着信一覧ファイル108 から、契約者IDをキーとして読み出した、着信日時・発信者電話番号等の受信関連情報、及び文書化データの一部を通信端末装置200 へ送信する（ステップS6）。
【００３５】
通信端末措置200 では、着信一覧表示手段201 により、留守番電話センタ100 から送信されてきた、着信日時・発信者電話番号等の受信関連情報、及び文書化データの一部の一覧が表示され、ユーザのキー操作に基づいて、表示された着信一覧から、留守番電話センタ100 に対して転送を要求すべき録音データを選択し、その転送条件（例えば録音データの全てを音声情報として転送する・録音データの全てをテキスト情報として転送する等）を指定する（ステップS7）。
【００３６】
留守番電話センタ100 では、通信端末装置200 により選択された録音データを、指定された転送条件で通信端末装置200 へ転送する（ステップS8）。
通信端末装置200 では、録音情報再生手段203 が、転送された録音データが音声情報の場合はスピーカによって録音情報を再生し、録音データがテキスト情報の場合はブラウザ、ディスプレイ画面により録音情報をテキスト再生する（ステップS9）。
【００３７】
図４は本発明システムの他の例の機能ブロック図である。なお、図１と同一又は相当部分には同一符号を付してその説明を省略する。
本例では、音声受信手段103 が受信した音声の一部（例えば、発信者が氏名を名乗っている確率が高い先頭の５秒間の音声）と、予め声紋マスタファイル113 に登録されている発信者の声紋パターン（例えば、自分の氏名）とのパターンマッチングにより、着信一覧ファイル106 に記録する話者名を特定する話者特定手段112 が設けられている。
【００３８】
図５は声紋マスタファイルの概念図である。
図に示すように、契約者IDに対応付けて、この契約者が登録した複数の話者のそれぞれの声紋データが、話者名に対応付けて記録されている。
【００３９】
次に、図４の本発明システムの録音情報転送手順を図６のフローチャートに基づいて説明する。なお、図３に示す手順と同一部分の詳細な説明は省略する。
図３のステップS1〜S3に相当するステップS11 〜S13 を実行した後、上述のように録音データを声紋解析して特定した話者の話者名を着信一覧ファイル106 に記録する（ステップS14 ）。
【００４０】
図３のステップS4及びS5に相当するステップステップS15 及びS16 を実行した後、図３のステップS6に相当するステップS17 において、上述のように特定した話者の話者名を他のデータとともに通信端末装置200 へ送信する。
なお、ステップS18 〜S20 は図３のステップS7〜S9に相当する。
【００４１】
図７は本発明システムのさらに他の例の機能ブロック図である。なお、図１と同一又は相当部分には同一符号を付してその説明を省略する。
本例の通信端末装置200 はインターネットのような通信ネットワークへの接続が可能な装置であって Eメール送受信手段204 を備える。留守番電話センタ100 には、契約者の通信端末装置200 へ電子メールを送信する際の Eメールアドレスを登録する Eメールアドレスファイル114 が設けられている。
【００４２】
また本例では、電子メールを利用して前述のような情報を留守番電話センタ100 及び通信端末装置200 の間で転送するために、図１及び図４の着信一覧送信手段109a、転送指定受付手段110a、及び録音情報転送手段111aに代えて、着信一覧送信手段109b、転送指定受付手段110b及び録音情報転送手段111bが留守番電話センタ100 に、また Eメール送受信手段204 が通信端末装置200 に設けられている。
【００４３】
次に、図７の本発明システムの録音情報転送手順を図８のフローチャートに基づいて説明する。なお、図３に示す手順と同一部分の詳細な説明は省略する。
図３のステップS1〜S5に相当するステップS21 〜S25 を実行した後、着信一覧送信手段109bは、着信一覧ファイル108 から、契約者IDをキーとして読み出した、着信日時・発信者電話番号等の受信関連情報、及び文書化データの一部を通信端末装置200 へインターネットのような通信ネットワークを介して Eメール送信する（ステップS26 ）。
【００４４】
通信端末装置200 では、着信一覧表示手段201 により、留守番電話センタ100 から送信されてきた、着信日時・発信者電話番号等の受信関連情報、及び文書化データの一部の一覧が表示され、ユーザのキー操作に基づいて、表示された着信一覧から、留守番電話センタ100 に対して転送を要求すべき録音データを選択し、その転送条件（例えば録音データの全てを音声情報として転送する・録音データの全てをテキスト情報として転送する等）を指定し、これらの選択内容及び指定内容を留守番電話センタ100 へ Eメール送信する（ステップS27 ）。
【００４５】
留守番電話センタ100 では、通信端末装置200 により選択された録音データを、指定された転送条件で通信端末装置200 へ転送するが、その際、録音データの音声情報又はテキスト情報のファイルを、例えば添付ファイルのような形式で通信端末装置200 へ Eメール送信する（ステップS28 ）。
通信端末装置200 のS29 は、図３のステップS9に相当する。
【００４６】
なお、録音情報は留守番電話サービスの伝言メッセージに限らず、例えば携帯電話機用のコンテンツ事業者が音声を利用して提供するガイダンス、音楽配信業者が提供する音楽等の音声情報であってもよい。
【００４７】
また、以上のような録音情報転送のコンピュータプログラムは、コンピュータにプレインストールして提供することも、またCD-ROM、MO等の可搬型記録媒体で提供することも可能である。さらに回線経由で提供することも可能である。
【００４８】
また、本発明システムは上述の構成に限るものではなく、図１、図４、及び図７に示した構成のいずれか複数又は全てを組み合わせた構成であってもよい。
【００４９】
（付記１）  第１の通信装置にて受信され、録音された音声の録音情報を第２の通信装置へ転送する録音情報転送システムにおいて、
前記第１の通信装置は、
音声を受信する手段、
受信した音声を録音する手段、
音声の録音情報を特定する特定情報に対応付けて、該音声の受信に関連する関連情報を記憶する手段、
受信した音声をテキスト変換する手段、及び
音声をテキスト変換したテキスト情報の少なくとも一部を、該音声の前記特定情報に対応付けて、前記関連情報とともに第２の通信装置へ送信する送信手段を備え、
前記第２の通信装置は、
第１の通信装置から送信された、前記少なくとも一部のテキスト情報を含む情報を表示する手段、
表示した情報の中から転送を要求する録音情報を選択する手段、及び
選択した録音情報の転送条件を指定する手段を備え、
前記第１の通信装置は、
第２の通信装置から転送を要求された録音情報を、指定された転送条件に応じて第２の通信装置へ転送する手段をさらに備え、
前記第２の通信装置は、
第１の通信装置から転送された録音情報を再生する手段をさらに備えたことを特徴とする録音情報転送システム。
（付記２）  前記第１の通信装置は、話者を特定する情報に対応付けて、該話者が発声した所定の語句の声紋パターンを登録する手段と、受信した音声の少なくとも一部の声紋パターンを取得する手段と、受信した音声の少なくとも一部の声紋パターンを登録済みの声紋パターンとパターンマッチングすることにより該音声の話者を特定する手段とをさらに備え、音声をテキスト変換したテキスト情報の少なくとも一部、前記関連情報、及び前記特定情報とともに、該音声の話者を特定する情報を第２の通信装置へ送信すべくなしたことを特徴とする付記１記載の録音情報転送システム。
（付記３）  前記転送条件に、録音情報の全てをテキスト情報として転送することを含むことを特徴とする付記１又は２記載の録音情報転送システム。
（付記４）  前記転送条件に、録音情報の全てを音声情報として転送することを含むことを特徴とする付記１乃至３のいずれかに記載の録音情報転送システム。（付記５）  前記第１及び第２の通信装置は、電子メールの送受信手段をさらに備え、前記第１の通信装置の送信手段は、電子メールを利用して、音声をテキスト変換したテキスト情報の少なくとも一部を、該音声の前記特定情報に対応付けて、前記関連情報とともに第２の通信装置へ送信する手段であり、また前記転送条件に、電子メールを利用して録音情報を転送することを含むことを特徴とする付記１乃至４のいずれかに記載の録音情報転送システム。
（付記６）  音声を受信する手段と、
受信した音声を録音する手段と、
音声の録音情報を特定する特定情報に対応付けて、該音声の受信に関連する関連情報を記憶する手段と、
受信した音声をテキスト変換する手段と、
音声をテキスト変換したテキスト情報の少なくとも一部を、該音声の前記特定情報に対応付けて、前記関連情報とともに他の装置へ送信する手段と、
他の装置からの、録音情報の転送の要求及び転送条件の指定を受信する手段と、
他の装置から転送を要求された録音情報を、指定された転送条件に応じて該他の装置へ送信する手段と
を備えたことを特徴とする録音情報送信装置。
（付記７）  コンピュータに、音声の録音情報を他の装置へ転送させるプログラムが記録されており、コンピュータでの読み取りが可能な記録媒体において、
コンピュータに、音声を受信させるプログラムコード手段と、
コンピュータに、受信した音声を録音させるプログラムコード手段と、
コンピュータに、音声の録音情報を特定する特定情報に対応付けて、該音声の受信に関連する関連情報を記憶させるプログラムコード手段と、
コンピュータに、受信した音声をテキスト変換させるプログラムコード手段と、
コンピュータに、音声をテキスト変換したテキスト情報の少なくとも一部を、該音声の前記特定情報に対応付けて、前記関連情報とともに他の装置へ送信させるプログラムコード手段と、
コンピュータに、他の装置からの、録音情報の転送の要求及び転送条件の指定を受信させるプログラムコード手段と、
コンピュータに、他の装置から転送を要求された録音情報を、指定された転送条件に応じて該他の装置へ送信させるプログラムコード手段とを含むプログラムが記録されていることを特徴とする記録媒体。
（付記８）  コンピュータに、
音声を受信する手段、
受信した音声を録音する手段、
音声の録音情報を特定する特定情報に対応付けて、該音声の受信に関連する関連情報を記憶する手段、
受信した音声をテキスト変換する手段、
音声をテキスト変換したテキスト情報の少なくとも一部を、該音声の前記特定情報に対応付けて、前記関連情報とともに他の装置へ送信する手段、
他の装置からの、録音情報の転送の要求及び転送条件の指定を受信する手段、及び、
他の装置から転送を要求された録音情報を、指定された転送条件に応じて該他の装置へ送信する手段として機能させるためのプログラム。
【００５０】
【発明の効果】
以上のように、本発明では、例えば留守番電話センタの伝言メッセージのような音声の録音情報を留守番電話センタにて一旦テキスト変換し、少なくともその一部を、発信者電話番号、着信日等の受信関連情報ととともに先ず携帯電話機のような通信端末装置に表示して、転送すべき録音情報を利用者に選択させ、さらにその音声情報をテキスト情報のまま転送するか、音声情報として転送するか等の転送条件の指定を受け付けるので、必要な録音情報だけを転送でき、また録音情報を再生する優先度を利用者が設定できる等の優れたユーザインタフェースを利用者に提供するという優れた効果を奏する。
【図面の簡単な説明】
【図１】本発明システムの一例の機能ブロック図である。
【図２】着信一覧ファイルの概念図である。
【図３】図１の本発明システムの録音情報転送手順のフローチャートである。
【図４】本発明システムの他の例の機能ブロック図である。
【図５】声紋マスタファイルの概念図である。
【図６】図４の本発明システムの録音情報転送手順のフローチャートである。
【図７】本発明システムのさらに他の例の機能ブロック図である。
【図８】図７の本発明システムの録音情報転送手順のフローチャートである。
【符号の説明】
100 留守番電話センタ
101 応答メッセージ再生手段
102 応答メッセージファイル
103 音声受信手段
104 録音データファイル
105 受信関連情報記録手段
106 着信一覧ファイル
107 テキスト変換手段
108 文書化録音データファイル
109a、109b  着信一覧送信手段
110a、110b  転送指定受付手段
111a、111b  録音情報転送手段
112 話者特定手段
113 声紋マスタファイル
114  Eメールアドレスファイル
200 通信端末装置
201 着信一覧表示手段
202 入力手段
203 録音情報再生手段
204  Eメール送受信手段
【図１】
0004514343.tif 000002
【図２】
0004514343.tif 000003
【図３】
0004514343.tif 000004
【図４】
0004514343.tif 000005
【図５】
0004514343.tif 000006
【図６】
0004514343.tif 000007
【図７】
0004514343.tif 000008
【図８】
0004514343.tif 000009